(57)【要約】【課題】警備点検における機密情報の漏洩を防止すると共に、警備用機器の点検漏れを防止する。【解決手段】監視サーバから指示された警備点検の対象施設内に設置された施設内端末と通信ネットワークを介して接続され、前記施設内を巡回して警備用機器を点検するためにユーザが操作する警備点検装置において、前記施設内端末と鍵情報の照合を行い、暗号化による機密情報の通信を行う暗号化通信手段と、現在の位置を測位する位置測位手段と、前記暗号化通信手段により取得される機密情報に対し、前記位置測位手段により得られる位置情報と予め設定される前記警備用機器の位置情報とに基づいて、警備点検状況を表示する画面を生成する画面生成手段と、前記暗号化通信手段により取得される機密情報を、所定の条件に基づいて消去する機密情報消去手段とを有することにより、上記課題を解決する。【選択図】図４
2010231658.tif 000002
【特許請求の範囲】
【請求項１】
監視サーバと、警備点検の対象施設内に設置された施設内端末と、前記施設内を巡回して警備用機器を点検するためにユーザが操作する警備点検装置とを備える警備点検システムにおいて、
前記監視サーバは、前記施設内端末及び前記警備点検装置に送信する鍵情報を生成する鍵生成手段と、前記施設内端末における警備点検状況を管理する施設内端末管理情報と、前記施設内端末に対する警備点検状況に応じて機密情報を送信する警備点検状況把握手段とを有し、
前記施設内端末は、前記警備点検装置と鍵情報の照合を行い、暗号化による機密情報の通信を行う暗号化通信手段と、前記施設内の警備対象となる警備員が所持する警備点検装置の位置情報及び作業内容を監視する警備点検装置監視手段と、前記警備点検装置が点検対象とする警備用機器の位置を表示する画面を生成する画面生成手段とを有し、
前記警備点検装置は、前記施設内端末と鍵情報の照合を行い、暗号化による機密情報の通信を行う暗号化通信手段と、現在の位置を測位する位置測位手段と、前記暗号化通信手段により取得される機密情報を、所定の条件に基づいて消去する機密情報消去手段とを有することを特徴とする警備点検システム。
【請求項２】
監視サーバから指示された警備点検の対象施設内に設置された施設内端末と通信ネットワークを介して接続され、前記施設内を巡回して警備用機器を点検するためにユーザが操作する警備点検装置において、
前記施設内端末と鍵情報の照合を行い、暗号化による機密情報の通信を行う暗号化通信手段と、
現在の位置を測位する位置測位手段と、
前記暗号化通信手段により取得される機密情報に対し、前記位置測位手段により得られる位置情報と予め設定される前記警備用機器の位置情報とに基づいて、警備点検状況を表示する画面を生成する画面生成手段と、
前記暗号化通信手段により取得される機密情報を、所定の条件に基づいて消去する機密情報消去手段とを有することを特徴とする警備点検装置。
【請求項３】
前記暗号化通信手段は、
前記鍵情報の結果に応じて機密情報が前記施設内端末から送信されることを特徴とする請求項２に記載の警備点検装置。
【請求項４】
前記機密情報消去手段は、
前記所定の条件として、前記警備点検の対象施設内から所定の距離以上離れた場合、前記施設内端末と所定時間以上通信ができなくなった場合、前記鍵の有効期限を越えた場合、一定時間内に警備員が所定の操作を行わない場合、所定の操作以外の操作が行われた場合、及び警備員との距離が所定の距離以上離れた場合のうち少なくとも１つを有する場合に前記機密情報を消去することを特徴とする請求項２又は３に記載の警備点検装置。
【請求項５】
監視サーバから指示された警備点検の対象施設内に設置された施設内端末と通信ネットワークを介して接続され、前記施設内を巡回して警備用機器を点検するためにユーザが操作する警備点検装置における警備点検方法において、
前記施設内端末と鍵情報の照合を行い、暗号化による機密情報の通信を行う暗号化通信手順と、
現在の位置を測位する位置測位手順と、
前記暗号化通信手順により取得される機密情報に対し、前記位置測位手段により得られる位置情報と予め設定される前記警備用機器の位置情報とに基づいて、警備点検状況を表示する画面を生成する画面生成手順と、
前記暗号化通信手順により取得される機密情報を、所定の条件に基づいて消去する機密情報消去手順とを有することを特徴とする警備点検方法。
【請求項６】
前記暗号化通信手順は、
前記鍵情報の結果に応じて機密情報が前記施設内端末から送信されることを特徴とする請求項５に記載の警備点検方法。
【請求項７】
前記機密情報消去手順は、
前記所定の条件として、前記警備点検の対象施設内から所定の距離以上離れた場合、前記施設内端末と所定時間以上通信ができなくなった場合、前記鍵の有効期限を越えた場合、一定時間内に警備員が所定の操作を行わない場合、所定の操作以外の操作が行われた場合、及び警備員との距離が所定の距離以上離れた場合のうち少なくとも１つを有する場合に前記機密情報を消去することを特徴とする請求項５又は６に記載の警備点検方法。
【請求項８】
監視サーバから指示された警備点検の対象施設内に設置された施設内端末と通信ネットワークを介して接続され、前記施設内を巡回して警備用機器を点検するためにユーザが操作する警備点検装置における警備点検プログラムにおいて、
コンピュータを、
前記施設内端末と鍵情報の照合を行い、暗号化による機密情報の通信を行う暗号化通信手段と、
現在の位置を測位する位置測位手段、
前記暗号化通信手段により取得される機密情報に対し、前記位置測位手段により得られる位置情報と予め設定される前記警備用機器の位置情報とに基づいて、警備点検状況を表示する画面を生成する画面生成手段、及び、
前記暗号化通信手段により取得される機密情報を、所定の条件に基づいて消去する機密情報消去手段として機能させるための警備点検プログラム。
【請求項９】
前記暗号化通信手段は、
前記鍵情報の結果に応じて機密情報が前記施設内端末から送信されることを特徴とする請求項８に記載の警備点検プログラム。
【請求項１０】
前記機密情報消去手段は、
前記所定の条件として、前記警備点検の対象施設内から所定の距離以上離れた場合、前記施設内端末と所定時間以上通信ができなくなった場合、前記鍵の有効期限を越えた場合、一定時間内に警備員が所定の操作を行わない場合、所定の操作以外の操作が行われた場合、及び警備員との距離が所定の距離以上離れた場合のうち少なくとも１つを有する場合に前記機密情報を消去することを特徴とする請求項８又は９に記載の警備点検プログラム。
【発明の詳細な説明】
【技術分野】
【０００１】
本発明は、警備点検システム、警備点検端末、警備点検方法、及び警備点検プログラムに係り、特に警備点検における機密情報の漏洩を防止すると共に、警備用機器の点検漏れを防止するための警備点検システム、警備点検端末、警備点検方法、及び警備点検プログラムに関する。
【背景技術】
【０００２】
従来、ビルや工場、デパート、病院、マンション等の集合住宅等の警備対象施設に火災又は不法侵入等の異常を検知するセンサ（侵入検知センサ）や非常灯等の警備用機器、及び上記警備用機器を管理する警備装置等を設置し、警備対象施設の異常を検知した場合に通信ネットワークを介して接続される監視サーバ等に送信し、監視サーバにて異常があった施設の遠隔監視を行ったり、警備員を急行させるといった警備システムが存在している。
【０００３】
ここで、警備用機器の定期点検や新規設置、撤去等の作業を行う場合には、警備員等の作業者は、施設の見取り図が描かれた紙面を用いたり、ＣＡＤ（Ｃｏｍｐｕｔｅｒ  Ａｉｄｅｄ  Ｄｅｓｉｇｎ）データとして作成された警備用機器の位置に関する情報等を作業員のモバイル端末（携帯型の警備点検端末）等に記録し、それを参照して機器の点検、新規設置、撤去等を行う。
【０００４】
しかしながら、実際の警備用機器の新規設置や撤去等の作業状態と連動して、その内容を速やかに紙面やＣＡＤデータ上に反映する手段がないため、例えば追加した機器の記載漏れや撤去機器の削除漏れが発生する。また、ヒューマンエラーにより、警備用機器の点検漏れが発生する可能性がある。
【０００５】
更に、紙面やモバイル端末に記録された警備用機器の位置に関する情報等は、警備点検における機密情報ということができるが、この紙面やモバイル端末を紛失したり、盗難にあったりした場合には、その機密情報が漏洩する可能性がある。したがって、もし警備用機器の設置位置に関する情報が漏洩した場合、賊に警備の手薄な場所を知られてしまう。
【０００６】
そこで、近年では、施設情報等の管理情報を電子化して統合管理し、表示（可視化）することができるシステムが存在する（例えば、特許文献１参照。）。
【０００７】
また、警備員がモバイル端末の紛失等があっても機密情報の漏洩がないようなシステムが存在する（例えば、特許文献２参照。）。上述の特許文献２に示される手法では、予め許可又は権限を有する者が、予め定められた場所においてのみ、サーバからユーザ端末にダウンロードされたアクセス制御プログラムを介して、所定の情報にアクセスすることができることが示されている。
【先行技術文献】
【特許文献】
【０００８】
【特許文献１】特開２００２−２８７６１５号公報
【特許文献２】特開２００５−７１０７１号公報
【発明の概要】
【発明が解決しようとする課題】
【０００９】
しかしながら、上述した特許文献１には、位置情報と結び付けて管理されていないため機器の設置場所等の情報が曖昧となり、例えば機密情報である図面データに対しての記入漏れが発生する可能性がある。また、センサ等の警備用機器の点検、新規設置、撤去作業の内容を直ぐに可視化し、未点検のセンサとの見分けを行うようなシステムは未だ存在していないため、点検漏れが発生する可能性があり、作業の効率が悪い。
【００１０】
また、上述した特許文献２には、ユーザ端末からサーバへ通信を行って、図面データ等の機密情報をダウンロードすることがない。また、特許文献２における位置情報は、（ｘ，ｙ）の二次元座標であるため、例えば１０階建てのビルの４階のみが契約先（警備対象施設）であった場合に、（ｘ，ｙ，ｚ）等の３次元座標を用いて建物の各階のどの部分に位置するか等を把握しなければならないが、それを実現することができない。
【００１１】
また、特許文献２においては、作業員が所持する端末が持ち出された際、予め定められた場所であればどこでも端末に記録された情報を取得することができてしまい、情報漏洩の可能性は充分に考えられる。
【００１２】
本発明は、上記の問題点に鑑みてなされたものであって、警備点検における機密情報の漏洩を防止すると共に、警備用機器の点検漏れを防止するための警備点検システム、警備点検端末、警備点検方法、及び警備点検プログラムを提供することを目的とする。
【課題を解決するための手段】
【００１３】
上記課題を解決するために、本件発明は、以下の特徴を有する課題を解決するための手段を採用している。
【００１４】
本発明では、監視サーバと、警備点検の対象施設内に設置された施設内端末と、前記施設内を巡回して警備用機器を点検するためにユーザが操作する警備点検装置とを備える警備点検システムにおいて、前記監視サーバは、前記施設内端末及び前記警備点検装置に送信する鍵情報を生成する鍵生成手段と、前記施設内端末における警備点検状況を管理する施設内端末管理情報と、前記施設内端末に対する警備点検状況に応じて機密情報を送信する警備点検状況把握手段とを有し、前記施設内端末は、前記警備点検装置と鍵情報の照合を行い、暗号化による機密情報の通信を行う暗号化通信手段と、前記施設内の警備対象となる警備員が所持する警備点検装置の位置情報及び作業内容を監視する警備点検装置監視手段と、前記警備点検装置が点検対象とする警備用機器の位置を表示する画面を生成する画面生成手段とを有し、前記警備点検装置は、前記施設内端末と鍵情報の照合を行い、暗号化による機密情報の通信を行う暗号化通信手段と、現在の位置を測位する位置測位手段と、前記暗号化通信手段により取得される機密情報を、所定の条件に基づいて消去する機密情報消去手段とを有することを特徴とする。これにより、警備点検における機密情報の漏洩を防止すると共に、警備用機器の点検漏れを防止することができる。
【００１５】
更に本発明では、監視サーバから指示された警備点検の対象施設内に設置された施設内端末と通信ネットワークを介して接続され、前記施設内を巡回して警備用機器を点検するためにユーザが操作する警備点検装置において、前記施設内端末と鍵情報の照合を行い、暗号化による機密情報の通信を行う暗号化通信手段と、現在の位置を測位する位置測位手段と、前記暗号化通信手段により取得される機密情報に対し、前記位置測位手段により得られる位置情報と予め設定される前記警備用機器の位置情報とに基づいて、警備点検状況を表示する画面を生成する画面生成手段と、前記暗号化通信手段により取得される機密情報を、所定の条件に基づいて消去する機密情報消去手段とを有することを特徴とする。これにより、警備点検における機密情報の漏洩を防止すると共に、警備用機器の点検漏れを防止することができる。
【００１６】
また本発明では、前記暗号化通信手段は、前記鍵情報の結果に応じて機密情報が前記施設内端末から送信されることを特徴とする。
【００１７】
また本発明では、前記機密情報消去手段は、前記所定の条件として、前記警備点検の対象施設内から所定の距離以上離れた場合、前記施設内端末と所定時間以上通信ができなくなった場合、前記鍵の有効期限を越えた場合、一定時間内に警備員が所定の操作を行わない場合、所定の操作以外の操作が行われた場合、及び警備員との距離が所定の距離以上離れた場合のうち少なくとも１つを有する場合に前記機密情報を消去することを特徴とする。
【００１８】
更に本発明では、監視サーバから指示された警備点検の対象施設内に設置された施設内端末と通信ネットワークを介して接続され、前記施設内を巡回して警備用機器を点検するためにユーザが操作する警備点検装置における警備点検方法において、前記施設内端末と鍵情報の照合を行い、暗号化による機密情報の通信を行う暗号化通信手順と、現在の位置を測位する位置測位手順と、前記暗号化通信手順により取得される機密情報に対し、前記位置測位手段により得られる位置情報と予め設定される前記警備用機器の位置情報とに基づいて、警備点検状況を表示する画面を生成する画面生成手順と、前記暗号化通信手順により取得される機密情報を、所定の条件に基づいて消去する機密情報消去手順とを有することを特徴とする。これにより、警備点検における機密情報の漏洩を防止すると共に、警備用機器の点検漏れを防止することができる。
【００１９】
また本発明では、前記暗号化通信手順は、前記鍵情報の結果に応じて機密情報が前記施設内端末から送信されることを特徴とする。
【００２０】
また本発明では、前記機密情報消去手順は、前記所定の条件として、前記警備点検の対象施設内から所定の距離以上離れた場合、前記施設内端末と所定時間以上通信ができなくなった場合、前記鍵の有効期限を越えた場合、一定時間内に警備員が所定の操作を行わない場合、所定の操作以外の操作が行われた場合、及び警備員との距離が所定の距離以上離れた場合のうち少なくとも１つを有する場合に前記機密情報を消去することを特徴とする。
【００２１】
更に本発明では、監視サーバから指示された警備点検の対象施設内に設置された施設内端末と通信ネットワークを介して接続され、前記施設内を巡回して警備用機器を点検するためにユーザが操作する警備点検装置における警備点検プログラムにおいて、コンピュータを、前記施設内端末と鍵情報の照合を行い、暗号化による機密情報の通信を行う暗号化通信手段と、現在の位置を測位する位置測位手段、前記暗号化通信手段により取得される機密情報に対し、前記位置測位手段により得られる位置情報と予め設定される前記警備用機器の位置情報とに基づいて、警備点検状況を表示する画面を生成する画面生成手段、及び、前記暗号化通信手段により取得される機密情報を、所定の条件に基づいて消去する機密情報消去手段として機能させる。これにより、警備点検における機密情報の漏洩を防止すると共に、警備用機器の点検漏れを防止することができる。また、プログラムをインストールすることにより、汎用のパーソナルコンピュータ等で本発明における警備点検処理を容易に実現することができる。
【００２２】
また本発明では、前記暗号化通信手段は、前記鍵情報の結果に応じて機密情報が前記施設内端末から送信されることを特徴とする。
【００２３】
また本発明では、前記機密情報消去手段は、前記所定の条件として、前記警備点検の対象施設内から所定の距離以上離れた場合、前記施設内端末と所定時間以上通信ができなくなった場合、前記鍵の有効期限を越えた場合、一定時間内に警備員が所定の操作を行わない場合、所定の操作以外の操作が行われた場合、及び警備員との距離が所定の距離以上離れた場合のうち少なくとも１つを有する場合に前記機密情報を消去することを特徴とする。
【発明の効果】
【００２４】
本発明によれば、警備点検における機密情報の漏洩を防止すると共に、警備用機器の点検漏れを防止することができる。
【図面の簡単な説明】
【００２５】
【図１】本実施形態における警備点検システムの概略構成の一例を示す図である。
【図２】本実施形態における監視サーバの機能構成例を示す図である。
【図３】本実施形態における施設内端末の機能構成例を示す図である。
【図４】本実施形態におけるモバイル端末の機能構成例を示す図である。
【図５】本実施形態における統計警備点検が実現可能なハードウェア構成の一例を示す図である。
【図６】電子鍵Ｋの配信の様子を説明するための図である。
【図７】モバイル端末の持ち出しの様子を説明するための一例を示す図である。
【図８】電子鍵Ｋの検証の様子を示す一例の図である。
【図９】図面データの配信の様子を説明する一例を示す図である。
【図１０】図面データの紛失防止方法を説明するための一例を示す図である。
【図１１】本実施形態における図面データの一例を示す図である。
【図１２】操作により表示される表示内容の一例を示す図である。
【図１３】図面データにおける途中経過の表示の一例を示す図である。
【図１４】本実施形態における警備用機器の点検時の動作について説明するための一例を示す図である。
【図１５】本実施形態における警備点検システムについての一例を示すシーケンス図である。
【発明を実施するための形態】
【００２６】
＜本発明について＞
本発明は、例えば警備対象施設等に設置される警備用機器（例えば、侵入検知センサ等）について、その定期点検や詳細点検、新規設置や撤去等の作業を実施する際に、図面データ等の警備を行う上で重要な機密情報の紛失や漏洩事故を防止すると共に警備用機器の点検漏れを防止する。
【００２７】
具体的には、本発明は、例えば機密情報である警備対象施設の位置情報（３次元座標系）、建物の間取り（見取り図）、侵入検知センサや火災報知センサの各センサ群又は非常灯等の警備用機器の設置場所（３次元座標系）等を含む図面データを用い、更に警備点検完了前後でその図面データの表示内容を変更する。これにより、点検未完了部分が明確になり、点検漏れを防止することができる。また、警備用機器の新規設置や撤去した場合にも、図面データに反映させることにより追加機器の記載漏れや撤去機器の削除漏れを防止することができる。
【００２８】
以下に、本発明における警備点検システム、警備点検端末、警備点検方法、及び警備点検プログラムを好適に実施した形態について、図面を用いて説明する。なお、以下の実施形態で用いられる機密情報の一例として、上述した図面データを使用することとするが、本発明に適用可能な機密情報としては特にこれに限定されず、例えば警備点検作業を行う警備員等の作業員に関する情報や巡回手順、緊急時連絡先等の情報も含むものとする。
【００２９】
＜本実施形態：警備点検システムの概略構成例＞
図１は、本実施形態における警備点検システムの概略構成の一例を示す図である。図１に示す警備点検システム１０は、監視サーバ１１と、対象施設（契約先施設）１２と、支社１３とを有するよう構成されており、監視サーバ１１、対象施設１２、及び支社１３とは、電話回線や専用回線、インターネット回線等の通信ネットワーク１４−１，１４−２によりデータ等が送受信可能な状態で接続されている。なお、図１に示す通信ネットワーク１４−１，１４−２は、同一の通信ネットワーク１４としてもよい。
【００３０】
なお、上述した警備点検システム１０において、監視サーバ１１により管理される対象施設１２や支社１３は、それぞれ複数でもよく、またある１つの対象施設１２に対する支社１３の数や、ある１つの支社１３に対する対象施設１２の数が複数であってもよい。
【００３１】
また、通信ネットワーク１４−１，１４−２は、何れもＶＰＮ（Ｖｉｒｔｕａｌ  Ｐｒｉｖａｔｅ  Ｎｅｔｗｏｒｋ）等により暗号化されたデータを用いて送受信を行うセキュアな通信路を用いて送受信されることが好ましい。ＶＰＮ通信することで、インターネット等の公共のネットワークを、あたかも専用回線のように利用することができ仮想プライベートネットワークを構築することができる。これにより、監視サーバ１１、対象施設１２、及び支社１３の通信ネットワーク間のセキュリティを向上させることができる。
【００３２】
また、支社１３は、例えば監視サーバ１１を管理する企業（管理会社）等に属する企業を意味し、具体的には、ある対象施設１２に対して警備点検作業等を行う作業員が所属する営業所や支店等を示している。なお、支社１３は、監視サーバ１１を管理する企業に限定されずに、例えば監視サーバ１１を所有する企業から委託を受けた会社であってもよい。
【００３３】
図１に示すように、監視サーバ１１には、警備点検である１又は複数の対象施設毎に機密情報としての１又は複数の図面データ２１が格納されている。この図面データ２１は、対象施設１２内に設置される施設内端末２２にも通信ネットワーク１４−１を介して送信され、格納される。施設内端末２２は、対象施設１２に設置された複数の警備用機器として、例えばセンサ２３−１〜２３−ｎの全ての位置、警備点検状況、点検状況を管理する。
【００３４】
また、支社１３にあるモバイル端末２４は、警備点検作業を行う警備員（作業員）等のユーザが常時所持している警備点検端末であり、例えばノートパソコンや携帯電話、ＰＤＡ（Ｐｅｒｓｏｎａｌ  Ｄｉｇｉｔａｌ  Ａｓｓｉｓｔａｎｔ）等を用いることができる。例えば、警備がモバイル端末２４を所持して支社１３から対象施設１２に移動すると、モバイル端末２４と施設内端末２２間で暗号化通信等による認証を行い、認証の結果、機密情報を取得してもよいモバイル端末であれば、施設内端末２２から図面データ２１が送信される。なお、上述したモバイル端末２４と施設内端末２２間での認証については、予めモバイル端末２４が支社１３にあるときに、監視サーバ１１から施設内端末２２及びモバイル端末２４に対してそれぞれ通信ネットワーク１４−１，１４−２を介して、電子鍵等の鍵情報が送られ、モバイル端末２４が対象施設１２内に移動し、施設内端末２２と無線通信できる状況になったときに、その電子鍵を用いて図面データの送付前に事前に鍵認証を行う。これにより、図面データ２１の安全性を向上させることができる。
【００３５】
また、作業員は、所持するモバイル端末２４の表示画面に表示された図面データ２１を参照しながら、対象施設１２の所定の場所に設置された各センサ２３−１〜２３−ｎの点検等が行われる。
【００３６】
ここで、作業員は、モバイル端末２４を用いて対象施設１２にある各センサ２３−１〜２３−ｎを１個ずつ正常に動作するかを点検し、その点検した結果をその都度施設内端末２２に送信する。なお、点検結果を送信する場合には、モバイル端末２４に表示されている図面データ２１を用いて、例えば点検したセンサを選択し、「ＯＫ」又は「ＮＧ」の指示をして送信してもよく、また検知センサであればそのセンサを実際に動作させて稼動の有無を設置内端末２２で確かめさせてもよい。
【００３７】
また、施設内端末２２は、モバイル端末２４から得られた点検結果を図面データに反映し、その反映された図面データをモバイル端末２４に送ると共に、監視サーバ２１にも出力する。これにより、監視サーバ１１及び対象施設１２で常に最新の図面データを管理することができる。また、作業員は、モバイル端末２４から常に更新される図面データ２１を参照して効率的に警備点検作業を行うことで、警備用機器の点検漏れを防止することができる。
【００３８】
また、本実施形態では、モバイル端末２４を用いた点検の終了後、対象施設１２から出る場合には、モバイル端末２４内に蓄積された図面データ２１は消去される。これにより、データの漏洩を未然に防止することができる。
【００３９】
次に、上述した監視サーバ１１、施設内端末２２、及びモバイル端末２４のそれぞれの機能構成例について図を用いて説明する。
【００４０】
＜監視サーバ１１：機能構成例＞
図２は、本実施形態における監視サーバの機能構成例を示す図である。図２に示す監視サーバ１１は、入力手段３１と、出力手段３２と、蓄積手段３３と、暗号化通信手段３４と、鍵生成手段３５と、施設内端末管理手段３６と、モバイル端末管理手段３７と、警備点検状況把握手段３８と、画面生成手段３９と、通知手段４０と、送受信手段４１と、制御手段４２とを有するよう構成されている。
【００４１】
入力手段３１は、管理者等のユーザからの暗号化通信指示や、鍵生成指示、施設内端末管理指示、モバイル端末管理指示、警備点検状況把握指示、画面生成指示、通知指示、送受信指示、等の各種指示を受け付ける。なお、入力手段３１は、例えばキーボードや、マウス等のポインティングデバイス、マイク等の音声入力デバイス等からなる。
【００４２】
出力手段３２は、入力手段３１により入力された指示内容や、各指示内容に基づいて生成された制御データや施設内端末２２やモバイル端末２４から送られる各種情報の内容を表示したり、その音声を出力する。なお、出力手段３２は、ディスプレイ等の画面表示機能やスピーカ等の音声出力機能等を有する。
【００４３】
蓄積手段３３は、各施設内端末２２及びモバイル端末に送付する生成された電子鍵等の鍵情報や、各施設内端末２２から得られる図面データ、及びその更新情報、警備点検における問題発生時の情報、問題発生時における対応方法、モバイル端末２４に対するアクセス情報、警備員（作業員）情報、警備点検状況の把握情報、画面生成結果等が蓄積されており、必要に応じて読み出しや書き込みが行われる。なお、蓄積手段３３は、上述した各種データを通信ネットワーク１４−１，１４−２等に接続された外部装置等から取得することもできる。
【００４４】
暗号化通信手段３４は、対象施設１２及び支社１３とセキュア通信を行うために、送信するデータに暗号化を行って通信するものである。なお、暗号化通信手段３４は、例えばＶＰＮ通信等を用いることができる。
【００４５】
鍵生成手段３５は、対象施設１２において、モバイル端末２４の認証を行うための鍵を生成する。つまり、監視サーバ１１は、鍵生成手段３５により例えば電子鍵Ｋを生成し、対象施設に設置された端末（施設内端末２２）とモバイル端末２４に送信する。モバイル端末２４に送信された電子鍵Ｋは、対象施設１２に移動したときに、施設内端末と認証を行い、認証の結果がよければ、図面データ２１を取得するためのものである。また、施設内端末２２に送信される電子鍵Ｋは、その対象施設１２において、定期点検等の理由により作業員が対象施設に行くことを施設内端末２２の管理者等に通知するためにも用いられる。
【００４６】
更に、鍵生成手段３５は、モバイル端末２４が支社１３にあるときに、電子鍵ＫをＶＰＮ等のセキュアな通信路である通信ネットワーク１４−２を介して送信するのが好ましい。これにより、電子鍵Ｋの漏洩、盗難を防止することができる
施設内端末管理手段３６は、監視サーバ１１が管理する契約先である全ての対象施設の現在の警備点検状況等を管理するものである。また、施設内端末管理手段３６は、センサ等の定期的な点検が必要である場合には、その期限管理も兼ねており、その点検日に応じて作業員を割り当てて対応させる。また、施設内端末管理手段３６は、対象施設１２で何か不審者侵入等の問題が発生した場合には、対象施設１２に対して遠隔操作により非常ベルを鳴らしたり、扉のドアを全部閉めて開かないようにしたり、検知したセンサの近くのカメラにより撮影した映像を表示させたり、その問題のあった対象施設１２に他の警備員等を向かわせたり、警察に通報する等の処理を行う。
【００４７】
モバイル端末管理手段３７は、施設内端末管理手段３６により管理された施設内端末２２が設置された対象施設１２に警備点検作業を行わせる作業員等を管理する。具体的には、モバイル端末管理手段３７は、対象施設１２で警備点検させる作業員が決定すると、その作業員のモバイル端末２４に対して、鍵生成手段３５で生成された電子鍵Ｋや行き先の対象施設１２に関する情報（名称、住所、電話番号等）等を送受信手段４１により送信する。
【００４８】
また、モバイル端末管理手段３７は、どの作業員がどこにいるかを、それぞれの作業員が所持するモバイル端末２４を介して取得する。具体的には、モバイル端末管理手段３７は、例えばＧＰＳ（Ｇｌｏｂａｌ  Ｐｏｓｉｔｉｏｎｉｎｇ  Ｓｙｓｔｅｍ）機能等の位置測位手段等を持たせたモバイル端末２４と定期的に通信することで３次元位置情報（例えば、（ｘ，ｙ，ｚ）に対応する（緯度、経度、高度）等）に基づいて、蓄積手段３３等に予め蓄積された３次元地図情報（例えば、契約先の対象施設１２の図面データ等の機密情報も含む。）等と比較して作業員の位置情報を取得する。したがって、契約先の対象施設が複数回に及ぶ場合にも正確な３次元位置を取得することができ、どの作業員がどの階で警備点検しているかを正確に把握することができる。
【００４９】
また、警備点検状況把握手段３８は、モバイル端末管理手段３７により得られる位置情報から各契約先の対象施設１２及びモバイル端末２４についての警備点検状況を把握することができる。具体的には、警備点検状況把握手段３８は、その作業員が所持するモバイル端末２４から定期的に得られる位置情報と、予め指示した作業内容とから、その作業員が指示通り作業しているか否かをリアルタイムで管理することができる。また、警備点検状況把握手段３８は、警備が必要な施設については、１又は複数の警備員を、その対象施設に向かわせる等の対応を行う。
【００５０】
画面生成手段３９は、図面データ２１等、警備に必要なデータを作業員、管理者等が認識し易い状態に画面生成を行う。また、画面生成手段３９は、契約先に対して送信する図面データ２１の画面を生成し、監視サーバ１１でも容易に各契約先の情報を取得できるようにする。また、対象施設１２から得られる図面データ等の機密情報の更新情報を監視サーバ１１にも出力する画面も生成する。更に、画面生成手段３９は、対象施設１２より不審者侵入等の問題が発生したことを示す信号を受信した場合には、その施設に関する情報や、近くにいる警備員の情報等の緊急時用に表示する画面を生成する。更に、画面生成手段３９は、問題発生信号を送信してきた対象施設１２に対してその問題への対応策や遠隔操作の内容等を監視員に指示するための画面を生成する。なお、画面生成に必要な各種情報は、蓄積手段３３に予め蓄積されている情報等から必要な情報を適宜読み出して使用することができる。また、生成した画面は、ディスプレイやスピーカ等を有する出力手段３２により音声等と共に出力する。
【００５１】
通知手段４０は、対象施設１２からの問題発生信号により問題発生の信号に対応させて管理者や警備会社におけるその対象施設１２（例えば、ビル等の建物等）の担当警備員、監視員、代表責任者等に通知を行うアラート機能を有する。なお、通知手段４０は、電子メール機能や音声、専用のアプリケーションによる画面表示等により通知することができる。
【００５２】
送受信手段４１は、通信ネットワーク１４−１又は１４−２を介して対象施設１２及び支社１３とのセキュアな通信を行う。また、送受信手段４１は、警備点検システム１０を構成する他の端末に送信したり、他の端末から各種データを受信するための通信インタフェースとして用いることができる。
【００５３】
制御手段４２は、警備点検システム１０における各機能構成全体の制御を行う。具体的には、制御手段４２は、入力手段３１により入力されたユーザからの入力情報に基づいて暗号化通信を行ったり、鍵生成を行ったり、施設内端末の管理を制御したり、モバイル端末の管理を制御したり、警備点検状況を把握したり、画面生成したり、通信制御したり、送受信制御により他の端末との送受信を行う等の各種制御を行う。
【００５４】
＜施設内端末２２：機能構成例＞
図３は、本実施形態における施設内端末の機能構成例を示す図である。図３に示す施設内端末２２は、入力手段５１と、出力手段５２と、蓄積手段５３と、暗号化通信手段５４と、モバイル端末監視手段５５と、警備点検状況把握手段５６と、画面生成手段５７と、通知手段５８と、送受信手段５９と、制御手段６０とを有するよう構成されている。
【００５５】
入力手段５１は、対象施設管理者や警備責任者等のユーザからの暗号化通信指示や、モバイル端末監視指示、警備点検状況把握指示、画面生成指示、通知指示、送受信指示、等の各種指示を受け付ける。なお、入力手段５１は、例えばキーボードや、マウス等のポインティングデバイス、マイク等の音声入力デバイス等からなる。
【００５６】
出力手段５２は、入力手段５１により入力された指示内容や、各指示内容に基づいて生成された制御データや施設内端末２２やモバイル端末２４から送られる各種情報の内容を表示したり、その音声を出力する。なお、出力手段５２は、ディスプレイ等の画面表示機能やスピーカ等の音声出力機能等を有する。
【００５７】
蓄積手段５３は、監視サーバ１１から得られる電子鍵等の鍵情報や図面データ、問題発生時における対応方法、モバイル端末２４に対するアクセス情報、警備員情報、警備情報の把握情報、画面生成結果等が蓄積されており、必要に応じて読み出しや書き込みが行われる。なお、蓄積手段５３は、上述した各種データを通信ネットワーク１４−１等に接続された外部装置等から取得することもできる。
【００５８】
暗号化通信手段５４は、監視サーバ１１とのセキュア通信を行うために送信するデータに暗号化を行って通信するものである。なお、暗号化通信手段５４は、例えばＶＰＮ通信を用いることができる。また、暗号化通信手段５４は、モバイル端末２４との間でもセキュア通信を行う。
【００５９】
警備点検装置監視手段としてのモバイル端末監視手段５５は、施設内に向かっている若しくは既に存在する警備員が所持するモバイル端末２４により各警備員の位置と作業内容を監視する。モバイル端末監視手段５５は、モバイル端末２４の認証を行うための鍵の照合を行う。つまり、モバイル端末監視手段５５は、監視サーバ１１から送られる電子鍵Ｋとモバイル端末２４が所持する電子鍵Ｋとを照合し、そのモバイル端末２４（警備員）が正しい警備員か否かを判断する。
【００６０】
警備点検状況把握手段５６は、モバイル端末２４についての警備点検状況を把握する。具体的には、警備点検状況把握手段５６は、その作業員が所持するモバイル端末２４から定期的に得られる位置情報と、予め指示した作業内容とから、その作業員が指示通り作業しているか否かをリアルタイムで管理することができる。また、警備点検状況把握手段５６は、警備が必要な施設については、１又は複数の警備員を、その対象施設に向かわせる等の対応を行う。
【００６１】
画面生成手段５７は、図面データ２１等、警備に必要なデータを管理者が認識し易い状態に画面生成を行う。また、画面生成手段５７は、契約先に対して送信する図面データ２１の画面を生成し、監視サーバ１１でも容易に各契約先の情報を取得できるようにする。また、また、対象施設１２から得られる図面データ等の機密情報の更新情報を監視サーバ１１にも出力する画面も生成する。
【００６２】
更に、画面生成手段５７は、対象施設１２より不審者侵入等の問題が発生したことを示す信号を受信した場合には、その施設に関する情報や、近くにいる警備員の情報等の緊急時用に表示する画面を生成する。更に、画面生成手段５７は、問題発生信号を送信してきた対象施設１２に対してその問題への対応策や遠隔操作の内容等を監視員に指示するための画面を生成する。なお、画面生成に必要な各種情報は、蓄積手段５３に予め蓄積されている情報等から必要な情報を適宜読み出して使用することができる。また、生成した画面は、ディスプレイやスピーカ等を有する出力手段５２により音声等と共に出力する。
【００６３】
通知手段５８は、モバイル端末２４からの問題発生信号により問題発生の信号に対応させて監視サーバ１１や警備会社におけるその対象施設１２の担当警備員、監視員、代表責任者等に通知を行うアラート機能を有する。なお、通知手段５８は、電子メール機能や音声、専用のアプリケーションによる画面表示等により通知することができる。
【００６４】
送受信手段５９は、通信ネットワーク１４−１を介して監視サーバ１１とのセキュアな通信を行う。また、送受信手段５９は、モバイル端末２４との間でもＬＡＮや無線通信によりセキュア通信を実現する。また、送受信手段５９は、警備点検システム１０を構成する他の端末に送信したり、他の端末から各種データを受信するための通信インタフェースとして用いることができる。
【００６５】
制御手段６０は、警備点検システム１０における各機能構成全体の制御を行う。具体的には、制御手段６０は、入力手段５１により入力されたユーザからの入力情報に基づいて暗号化通信を行ったり、モバイル端末の管理を制御したり、警備点検状況を把握したり、画面生成したり、通信制御したり、送受信制御により他の端末との送受信を行う等の各種制御を行う。
【００６６】
＜モバイル端末（警備点検端末）２４：機能構成例＞
図４は、本実施形態におけるモバイル端末の機能構成例を示す図である。図４に示すモバイル端末２４は、入力手段７１と、出力手段７２と、蓄積手段７３と、暗号化通信手段７４と、位置測位手段７５と、画面表示手段７６と、機密情報消去手段７７と、通知手段７８と、送受信手段７９と、制御手段８０とを有するよう構成されている。
【００６７】
入力手段７１は、警備員等のユーザからの暗号化通信指示や、位置測位指示、画面生成指示、機密情報消去指示、通知指示、送受信指示、等の各種指示を受け付ける。なお、入力手段７１は、例えばキーボードや、マウス等のポインティングデバイス、マイク等の音声入力デバイス等からなる。
【００６８】
出力手段７２は、入力手段７１により入力された指示内容や、各指示内容に基づいて生成された制御データや施設内端末２２やモバイル端末２４から送られる各種情報の内容を表示したり、その音声を出力する。なお、出力手段７２は、ディスプレイ等の画面表示機能やスピーカ等の音声出力機能等を有する。
【００６９】
蓄積手段７３は、監視サーバ１１から得られる電子鍵等の鍵情報や、施設内端末２２から送られる問題発生時における対応方法、警備員情報、警備情報の把握情報、画面生成結果等が蓄積されており、必要に応じて読み出しや書き込みが行われる。なお、蓄積手段７３は、上述した各種データを通信ネットワーク１４−２等に接続された外部装置等から取得することもできる。
【００７０】
暗号化通信手段７４は、監視サーバ１１とのセキュア通信を行うために送信するデータに暗号化を行って通信するものである。なお、暗号化通信手段７４は、例えばＶＰＮ通信を用いることができる。また、暗号化通信手段７４は、施設内端末２２との間でもセキュア通信を行う。
【００７１】
位置測位手段７５は、ＧＰＳ機能等により位置情報（例えば３次元位置情報（ｘ，ｙ，ｚ）等）を取得する。また、位置測位手段７５は、取得した３次元位置情報を施設内端末２２に出力する。これにより、位置測位手段７５により得られる３次元情報を図面データ２１に対応させることで、警備員の位置やセンサの位置を明確に把握することができる。
【００７２】
画面表示手段７６は、施設内端末２２から得られる図面データ２１等の警備に必要なデータをそのモバイル端末２４が備えるディスプレイの大きさや解像度等、出力手段７２の仕様に合わせてフォーマット変換して画面に表示する。また、画面表示手段７６は、表示された画面に対して点検したエリア又はセンサ２３の色を変えたり、「〇」や「×」等の表示を行ったり、入力手段７１等によりカーソルをあるセンサ２３の位置に移動させ、そのセンサ２３に関する情報を取得することもできる。
【００７３】
更に、画面表示手段７６は、対象施設１２より不審者侵入等の問題が発生したことを示す信号を受信した場合には、その施設に関する情報や、近くにいる警備員の情報等の緊急時用に表示する画面を生成して表示する。なお、画面表示手段７６は、画面の生成や表示に必要な各種情報は、蓄積手段７３に予め蓄積されている情報等から必要な情報を適宜読み出して使用することができる。なお、生成した画面は、スピーカ等を有する出力手段７２により音声等と共に出力することもできる。なお、画面表示手段７６は、タッチパネル等を用いることもできる。
【００７４】
機密情報消去手段７７は、所定の条件に基づいて強制的に図面データ等の機密情報を蓄積手段７３等から消去する。なお、所定の条件としては、例えば対象施設１２内から所定の距離以上離れた場合、施設内端末２２とモバイル端末２４とで所定時間以上通信ができなくなった場合、電子鍵Ｋの有効期限を越えた場合、一定時間内に警備員が所定の操作を行わない場合、所定の操作以外の操作が行われた場合、及び警備員との距離が所定の距離以上離れた場合等がある。機密情報消去手段７７は、上述の条件のうち少なくとも１つが該当する場合に機密情報を消去する。これにより、より機密情報の漏洩等を高精度に保持することができる。
【００７５】
具体例としては、例えば、モバイル端末２４が一端対象施設１２内に入ってきた後、またその対象施設１２から出る場合に、なぜ出たかの理由に関係なく、強制的に図面データ等の機密情報をモバイル端末２４から完全に消去する。
【００７６】
通知手段７８は、警備点検時に警備用機器の故障や警備点検機器からの警報、賊の発見等の問題が発生した際に、その問題に対応する問題発生信号を生成し、施設内端末２２に送信する。また、通知手段７８は、その問題発生信号に対応させて監視サーバ１１や警備会社におけるその対象施設１２の担当警備員、監視員、代表責任者等に通知を行うアラート機能を有する。なお、通知手段７８は、電子メール機能や音声、専用のアプリケーションによる画面表示等により通知することができる。
【００７７】
送受信手段７９は、通信ネットワーク１４−２を介して監視サーバ１１とのセキュアな通信を行う。また、送受信手段７９は、施設内端末２２との間でもＬＡＮや無線通信によりセキュア通信を実現する。また、送受信手段７９は、警備点検システム１０を構成する他の端末に送信したり、他の端末から各種データを受信するための通信インタフェースとして用いることができる。
【００７８】
制御手段８０は、警備点検システム１０における各機能構成全体の制御を行う。具体的には、制御手段８０は、入力手段５１により入力されたユーザからの入力情報に基づいて暗号化通信を行ったり、位置測位を行ったり、画面生成したり、機密情報を消去したり、通信制御したり、送受信制御により他の端末との送受信を行う等の各種制御を行う。
【００７９】
＜ハードウェア構成例＞
ここで、上述した警備点検システム１０における監視サーバ１１、施設内端末２２、及びモバイル端末２４は、上述した機能を有する専用の装置構成により制御を行うこともできるが、各機能をコンピュータに実行させることができる実行プログラム（警備点検プログラム）を生成し、例えば、汎用のパーソナルコンピュータ、サーバ等にその実行プログラムをインストールすることにより、本発明における警備点検処理を実現することができる。
【００８０】
本実施形態における警備点検処理が実現可能なコンピュータのハードウェア構成例について図を用いて説明する。図５は、本実施形態における統計警備点検が実現可能なハードウェア構成の一例を示す図である。
【００８１】
図５におけるコンピュータ本体には、入力装置９１と、出力装置９２と、ドライブ装置９３と、補助記憶装置９４と、メモリ装置９５と、各種制御を行うＣＰＵ（Ｃｅｎｔｒａｌ  Ｐｒｏｃｅｓｓｉｎｇ  Ｕｎｉｔ）９６と、ネットワーク接続装置９７とを有するよう構成されており、これらはシステムバスＢで相互に接続されている。
【００８２】
入力装置９１は、使用者等が操作するキーボード及びマウス等のポインティングデバイスを有しており、使用者等からのプログラムの実行等、各種操作信号を入力する。
【００８３】
出力装置９２は、本発明における処理を行うためのコンピュータ本体を操作するのに必要な各種ウィンドウやデータ等を表示するモニタを有し、ＣＰＵ９６が有する制御プログラムによりプログラムの実行経過や結果等を表示することができる。
【００８４】
なお、入力装置９１と出力装置９２とは、例えばタッチパネル等のように一体型の入出力手段であってもよく、この場合には使用者等の指やペン型の入力装置等を用いて所定の位置をタッチして入力を行うことができる。
【００８５】
ここで、本発明においてコンピュータ本体にインストールされる実行プログラムは、例えば、ＵＳＢ（Ｕｎｉｖｅｒｓａｌ  Ｓｅｒｉａｌ  Ｂｕｓ）メモリやＣＤ−ＲＯＭ等の可搬型の記録媒体９８等により提供される。プログラムを記録した記録媒体９８は、ドライブ装置９３にセット可能であり、記録媒体９８に含まれる実行プログラムが、記録媒体９８からドライブ装置９３を介して補助記憶装置９４にインストールされる。
【００８６】
補助記憶装置９４は、ハードディスク等のストレージ手段であり、本発明における実行プログラムや、コンピュータに設けられた制御プログラム等を蓄積し必要に応じて入出力を行うことができる。
【００８７】
メモリ装置９５は、ＣＰＵ９６により補助記憶装置９４から読み出された実行プログラム等を格納する。なお、メモリ装置９５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなる。
【００８８】
ＣＰＵ９６は、ＯＳ（Ｏｐｅｒａｔｉｎｇ  Ｓｙｓｔｅｍ）等の制御プログラム、及びメモリ装置９５により読み出され格納されている実行プログラムに基づいて、各種演算や各ハードウェア構成部とのデータの入出力等、コンピュータ全体の処理を制御して、統計警備点検等における各処理を実現することができる。プログラムの実行中に必要な各種情報等は、補助記憶装置９４から取得することができ、また実行結果等を格納することもできる。
【００８９】
ネットワーク接続装置９７は、通信ネットワーク１４−１，１４−２等と接続することにより、実行プログラムを通信ネットワーク１４−１，１４−２に接続されている他の端末等から取得したり、プログラムを実行することで得られた実行結果又は本発明における実行プログラム自体を他の端末等に提供することができる。上述したようなハードウェア構成により、本発明における警備点検処理を実行することができる。また、プログラムをインストールすることにより、汎用のパーソナルコンピュータ等で本発明における警備点検処理を容易に実現することができる。次に、警備点検処理の具体的な内容について説明する。
【００９０】
＜本実施形態における警備点検の具体例＞
次に、本実施形態における警備点検の具体例について図を用いて説明する。なお、以下に示す説明では、上述した図１に示す警備点検システム１０を用いる。
【００９１】
警備点検を行う警備会社の警備員（作業員）は、点検時にモバイル端末２４を携帯する。モバイル端末２４は、図面データを視覚可能にする機能と、無線暗号通信機能と、位置測位機能とを少なくとも有している。
【００９２】
＜施設内端末設置時のプロセス（初期導入時、機種変更時等）＞
警備会社の警備員は、施設内端末２２設置後に、施設内端末２２と監視サーバとの間でセキュアな通信の確立を行う。セキュアな通信が確立されたときに、監視サーバは施設内端末２２に対して、図面データ２１のコピーを送信する。コピーを受信した施設内端末２２は、これをメモリ等の蓄積手段に保存する。なお、メモリは、不揮発性であると共に、タンパー機能（端末の不正な開封を検知したときに、メモリ内の情報を消去する機能等）を有していてもよい。
【００９３】
ここで、センサ２３−１〜２３−ｎ等のように警備用機器と施設内端末２２は、有線通信又は無線通信により、双方向通信ができる。なお、警備用機器と施設内端末２２との間では、セキュアな通信が行われる。
【００９４】
＜警備用機器新規設置時のプロセス＞
警備会社の警備員は、警備用機器を新規に設置した後、施設内端末２２との通信を始動する操作を行う。
【００９５】
センサ２３等の警備用機器は、施設内端末２２とセキュアな通信を確立する。その後、警備用機器は、自分の位置を測位するとともに、その情報を施設内端末２２に送信する。施設内端末２２は、警備用機器から位置情報を受け取ると、それをメモリ内に格納すると共に、監視サーバ１１に位置情報のコピーを送信する。
【００９６】
＜点検時のプロセス＞
監視サーバ１１は、上述したように電子鍵Ｋを生成した後、ＶＰＮ等のセキュアな通信回線である通信ネットワーク１４−１，１４−２を介して、電子鍵Ｋをモバイル端末２４と施設内端末２２に送信する。ここで、図６は、電子鍵Ｋの配信の様子を説明するための図である。図６に示すように、監視サーバ１１は電子鍵Ｋを生成し、施設内端末２２（警備制御装置）とモバイル端末２４に配信する。なお、電子鍵Ｋは、共通鍵、公開鍵/秘密鍵等の暗号化通信において用いられる一般的な鍵フォーマットを用いることができる。
【００９７】
また、図６に示すように、監視サーバ１１により生成された電子鍵Ｋは、セキュアな通信回線を使って、電子鍵Ｋをモバイル端末２４と施設内端末２２に送信する。なお、施設内端末２２に電子鍵Ｋを送信する理由は、点検が行われることを施設内端末２２に知らせておくためである。
【００９８】
次に、警備会社の警備員は、自分が所有するモバイル端末２４を持ち出して監視サーバ１１から指示があった契約先の対象施設１３へと向かう。ここで、図７は、モバイル端末の持ち出しの様子を説明するための一例を示す図である。図７に示すモバイル端末２４が持ち出される際には、電子鍵Ｋのみの情報しか蓄積されておらず、ここで、モバイル端末２４が盗難されたとしても、契約先に関する機密情報については一切わからない。
【００９９】
また、例えば、図７に示す支社１３から対象施設１２までの区間Ａの間でモバイル端末２４が警備員の身体から離れた場合、紛失や盗難・強奪の可能性があったと考えられる。したがって、その場合に本実施形態では、例えば区間Ａにおいてモバイル端末２４が警備員の身体から離れた時点で、電子鍵Ｋを消去するか又はその電子鍵を無効にすることができる。なお、モバイル端末２４がそれを所持する警備員から離れたことを認識するには、例えば警備員の衣服や、時計、カード等の身軽に身に着けられるものと、モバイル端末２４との間で電子タグ等のように非接触型の通信機器を備え、それらの通信ができない程距離が離れた場合には、両者が離れたものと認識することができる。
【０１００】
次に、警備員が対象施設１２の建物内に入った後、モバイル端末２４を操作して、施設内端末２２との無線暗号通信を試みる。ここで、図８は、電子鍵Ｋの検証の様子を示す一例の図である。本実施形態における電子鍵Ｋの検証では、具体的には、「（１）モバイル端末２４→施設内端末２２：接続要求の送信」、「（２）施設内端末２２→モバイル端末２４：チャレンジＭの送信」、「（３）モバイル端末２４→施設内端末２２：鍵付ハッシュ値Ｈ（Ｍ，Ｋ）の送信」、「（４）施設内端末２２：鍵付ハッシュ値Ｈ（Ｍ，Ｋ）の検証」を行う。施設内端末２２は、上記手順による暗号通信において、鍵付ハッシュ値が正しいと判断した場合には、電子鍵Ｋが正しいものと判断し、電子鍵Ｋを用いてモバイル端末２４と暗号通信を行う。
【０１０１】
また、施設内端末２２は、暗号通信により図面データ２１をモバイル端末２４に送信する。ここで、図９は、図面データの配信の様子を説明する一例を示す図である。図９に示すように、暗号化通信により図面データ２１が施設内端末２２からモバイル端末２４に送信され、これを受信したモバイル端末２４は、当該図面データの視覚化を行う。
【０１０２】
警備会社の警備員は、モバイル端末２４を携帯しながら、センサ２３−１〜２３−ｎ等の警備用機器の動作試験等の点検を行う。また、モバイル端末２４により警備点検が終わった警備用機器や新規設置や撤去した警備用機器がある場合には、その変更を行った内容を示す変更内容情報を暗号化通信により施設内端末２２に送信する。施設内端末２２は、図面データ２１に変更部分を反映させて、その変更された図面データ２１をモバイル端末２４に暗号化通信で送信すると共に監視サーバ１１にも通信ネットワーク１４−１を介して送信する。これにより、施設内端末２２と監視サーバ１１との間で同期処理を行うことができ、更にモバイル端末２４にも最新の形状点検状況が反映された図面データ２１を表示させることができ、作業員の作業の効率化を向上させることができる。
【０１０３】
＜警備用機器撤去時のプロセス＞
次に、警備会社の警備員は、警備用機器であるセンサ２３−１〜２３−ｎの１部又は全部を指示により撤去する。施設内端末２２は、警備用機器とのセキュアな通信が確立されなくなる。このため、施設内端末２２は、警備用機器が撤去されたものと判断する。施設内端末２２は、撤去された警備用機器に対応する位置情報を、メモリから消去すると共に、監視サーバ１１にその位置情報又は図面データを送信する。
【０１０４】
＜図面データの紛失防止について＞
ここで、本実施形態において使用される機密情報としての図面データ２１の紛失を防止するために消去等の処理を行い、図面データ２１の紛失を防止する手法について図を用いて説明する。図１０は、図面データの紛失防止方法を説明するための一例を示す図である。
【０１０５】
ここで、本実施形態では、本発明における機密情報として図面データ２１を扱っており、その図面データ２１は、施設内端末２２と監視サーバ１１が保管している。モバイル端末２４には、位置情報をリアルタイムに測位できる機能を有している。
【０１０６】
そして、モバイル端末２４の現在位置が、対象施設の建物から離れたときには、モバイル端末２４内に格納されている図面データ２１を自動的に消去する。具体的には、モバイル端末２４に図面データ２１が保持された状態で、モバイル端末２４の位置測位手段７５で測位された位置情報により、モバイル端末２４が対象施設１２内等の所定エリアから持ち出されたこと検知した場合、又はモバイル端末２４と設置内端末２２とが所定時間以上通信できなくなった場合にモバイル端末２４に記録された図面データ２１を消去する。ま、また、消去処理は、施設内端末２２からの消去指示によりモバイル端末２４内の図面データ２１を削除する。また、削除以外の他の手法としては、例えば無意味な記号や図面を図面データ２１に複数回上書きすることで、図面の詳細やセンサ等の警備用機器の正確な位置が分からないようにすることができる。
【０１０７】
これにより、点検帰りにモバイル端末２４を奪われたり、紛失したりしたとしても、図面データ２１が漏洩することを防止することができる。更に、鍵に有効期限を設けておくことにより、所定期間以外の時間で電子データを見るのを禁止することができる。
【０１０８】
また、上述したように、警備点検の対象施設１２に向かう警備員がモバイル端末２４を奪われたり、紛失したりしたとしても、図面データ２１が漏洩することはない。なお、この他にも一定時間内に警備員が所定の操作を行わない場合や、所定の操作以外の操作が行われた場合には、警備員以外の人が操作しているものと判断し、図面データの紛失防止処理を行うようにしてもよい。
【０１０９】
なお、上述した処理においては、施設内端末２２とモバイル端末２４との間、施設内端末２２と監視サーバ１１との間、警備用機器である各センサ２３−１〜２３−ｎと施設内端末２２との間は、セキュアな回線で接続されているため、警備用機器の位置情報が、外部に漏洩することはない。
【０１１０】
また、上述した実施形態では、契約先には、警備員以外の人は入れないことが前提条件となっており、賊（強盗等）に脅されて対象施設１２に入る場合には、例えば、パニックカード等により、賊に気付かれないように犯罪を外部に通報することができる。
【０１１１】
また、本実施形態では、モバイル端末２４を所持した第三者（拾得、盗難、強奪等）が、契約先に入ることがないように、警備員の身体からモバイル端末が離れた場合、電子鍵Ｋを無効にすることができる。
【０１１２】
＜図面データ例＞
ここで、本実施形態における図面データの例について図を用いて説明する。図１１は、本実施形態における図面データの一例を示す図である。図１１に示す図では、一例として、１階から３階までの施設の見取り図は示されている（図１１（ａ）〜（ｃ））。
【０１１３】
なお、図１１に表示される画面は、図１１（ａ）〜（ｃ）に示すように複数の階を１画面上に並べて配置してもよく、各階毎又は各階における所定の距離領域毎、１又は複数の部屋毎、１部屋のある位置部分毎に表示してもよい。
【０１１４】
図１１（ａ）〜（ｃ）の各フロア階には、複数種類の異なる警備用機器又は警備をする上で必要となる機器センサがその設置位置に種類が視認できる状態で表示されている。例えば、図１１には、セキュリティランプ（非常灯等）１０１、ＩＣカードリーダ１０２、開閉センサ１０３、空間センサ（赤外線センサ）１０４、火災センサ１０５等が所定の位置に設置されている。モバイル端末２４は、警備点検の対象施設内に入る際に、施設内端末２２と暗号化通信を行って鍵認証処理を行い、認証の結果、問題がない場合には、図１１に示す対象施設１２の図面データを施設内端末２２から取得する。
【０１１５】
これにより、このデータを用いて点検処理を容易に行うことができる。なお、図１１に提示されるセンサ等については、本発明においては図１１に限定されるものではない。
【０１１６】
また、図１２は、操作により表示される表示内容の一例を示す図である。例えば図１２に示すように、画面上に表示されるカーソル１０６を警備用機器に合わせることにより、予め蓄積手段等に蓄積された各種機器管理データ（例えば、「シリアルＮｏ．」、「名称」、「エリア」、「識別情報」、「ＩＤ」、「座標（緯度、経度、高度）」等）を表示させることができる。これにより、表示されている各種機器の様々な情報を容易に取得することができる。
【０１１７】
更に、図１３は、図面データにおける途中経過の表示の一例を示す図である。図１３に示す図では、点検・巡回中に退出した場合、どのような情報が保持され、視覚化されるかを図面に示したものである。例えば、上述した既に点検が完了した警備用機器に点検完了フラグをセットし、その点検完了フラグを参照して、警備点検が完了した警備用機器については、図１３（ａ）に示すように塗りつぶす等の強調表示を行う。また、図１３（ａ）に示すように、エリア全ての警備用機器に点検完了センサのフラグがセットされると、例えば「ＥＶホール（１階）」は斜線で表示され、点検又は巡回が完了したことが図面上に表示される。これにより、フロアのどの部分がまだチェックされていないかを容易に知ることができる。
【０１１８】
また、図１３（ｂ）に示すように、未点検センサが存在するエリアを強調表示させることにより、点検や巡回が終わっていないことを認識させ易くすることができる。更に、図１３（ｂ）に示す「事務所（営業部）」のように広いエリアの場合には、その全体のエリアのうちの所定の領域が完了した場合に、その領域に対して完了を示す印を設けてもよい。したがって、１部屋毎ではなく、１部屋毎に対する所定の領域毎にも設定することができる。また、警備点検において異常があった警備用機器に対しては、他と異なる強調表示を行うことで、異常個所を明確に把握することができる。
【０１１９】
なお、完了と未完了とを区別するための表示例は、本発明においては特に上述したものに限定されるものではなく、例えば点検の結果、異常がなかった場合には、「〇」マークを表示し、異常があった場合には、「×」マークを表示するようにしてもよい。
【０１２０】
更に、本実施形態によって表示可能な画面例は、これに限定されるものではなく、例えば、警備用機器とそれぞれのチェック状況をリスト化した画面や、何時にそのセンサをチェックしたかを示すチェック履歴情報等を取得することができる。
【０１２１】
警備員は、点検終了時にモバイル端末を操作し、点検が終了したことを施設内端末２２に通知する。施設内端末２２は、動作試験済みの警備用機器と、動作試験未了の警備用機器のチェックを行う。もし、点検漏れがあった場合には、モバイル端末２４にその旨を通知する。モバイル端末２４は、その情報（点検漏れがある警備用端末の位置等）を警備員に通知する。なお、警備用機器追加時のプロセスについては、上述した警備用機器新規設置時のプロセスを適用することができる。
【０１２２】
＜警備用機器（センサ等）点検時の動作（図面データへの機器情報反映）＞
次に、本実施形態における警備用機器の点検時の動作について図を用いて説明する。図１４は、本実施形態における警備用機器の点検時の動作について説明するための一例を示す図である。なお、図１４（ａ）〜（ｃ）は、センサの設置から疎通確認、センサの動作試験、及び試験結果送信までの一連の様子を示している。
【０１２３】
警備用機器（センサ等）の点検時の動作（図面データへの機器情報反映等）については、まず、センサ設置を行い、その後、図１４（ａ）に示すようにセンサ２３と施設内端末２２間との疎通確認を行う。なお、疎通確認とは、例えばセンサ２３の情報（種別やアドレス等）を施設内端末２２に登録する作業である。
【０１２４】
次に、センサ２３の動作試験を行う場合には、例えば図１４（ｂ）に示すようにセンサ２３が物体検出センサであれば、警備員がそのセンサに検知されるような動作を行い、実際に検知したか否かをチェックする。ここで、センサ２３がもし検知されている場合（テスト結果「ＯＫ」）には、その内容（ＯＫ信号）が施設内端末２２に通知され、通知された内容に伴う対応が警備員のモバイル端末２４に通知されるため、動作確認を容易に行うことができる。
【０１２５】
なお、センサ２３の動作試験が終了後、試験結果を送信する。具体的には、施設内端末２２は、試験結果（ＯＫ信号）を無線等の手段によりモバイル端末２４に送信する。
【０１２６】
なお、本実施形態では、図１４（ｃ）に示すように、センサ２３の位置情報を施設内端末２２に取得させることができる。具体的には、例えばモバイル端末２４をセンサ２３の真下若しくは直近に置き、位置情報（３次元座標）を取得する。その取得した位置情報を施設内設置端末２２に送信することでセンサ２３の位置情報の登録を行うことができる。施設内設置端末は、モバイル端末２４により得られた位置情報をセンサ２３のＩＤやアドレスと結び付けて管理し、同時に図面データ２１に反映する。なお、上述の処理は、例えばセンサ２３を新規設置した場合等にセンサ２３自体に位置計測及び送信機能を有する必要がなく安価な構成とすることができ、警備員も容易にセンサの位置情報を施設内設置端末２２や通信ネットワーク１４−１で接続された監視サーバ１１に送信することができるため、作業効率を向上させることができる。
【０１２７】
＜動作シーケンス＞
次に、上述した本実施形態における警備点検システムについての一例の動作シーケンスについて、シーケンス図を用いて説明する。図１５は、本実施形態における警備点検システムについての一例を示すシーケンス図である。なお、図１５に示すシーケンス図では、監視サーバ１１と、施設内端末２２と、モバイル端末２４とを用いて、警備点検システムの一連のシーケンスについて説明する。
【０１２８】
図１５に示す例では、まず監視サーバ１１において、対象施設と警備員（作業員）を指定し（Ｓ０１）、対応する鍵を生成する（Ｓ０２）。次に、その鍵情報を施設内端末２２に送信する（Ｓ０３）。これにより、施設内端末２２は、この施設に警備員がくることを事前に認識することができる。なお、Ｓ０３の処理にて警備員が来ることを示す情報を付加して送ってもよい。
【０１２９】
なお、監視サーバ１１が所持するその施設の図面データ等は、事前に施設内端末２２に送信されているが、もし送信されていない場合は、警備や巡回に必要な図面データ２１を施設内端末２２に出力する（Ｓ０４）。更に、監視サーバ１１は、Ｓ０２の処理にて生成した鍵情報をその施設への警備を行う担当警備員のモバイル端末２４に送信する（Ｓ０５）。なお、Ｓ０５の処理において、鍵情報の他に何時にどの施設に向かうべきかの行き先情報も付与することができる。
【０１３０】
次に、モバイル端末２４が施設内端末２２と通信できるようになると（Ｓ０６）、鍵の照合を行い（Ｓ０７）、照合の結果がＯＫの場合は、図面データ２１をモバイル端末２４に送信する（Ｓ０８）。なお、Ｓ０７の処理において、照合の結果がＮＧであった場合には、それ以降の処理は行わず、エラー情報は、施設内端末２２から監視サーバ１１やモバイル端末２４に送信される。
【０１３１】
モバイル端末２４は、施設内端末２２から図面データ２１を取得すると、その図面データ２１を画面に表示する（Ｓ０９）。次に、モバイル端末２４を所持しながら、警備員が巡回し、それぞれのセンサの点検を行う（Ｓ１０）。点検の結果は、施設内端末２２に送信され（Ｓ１１）、施設内端末２２にて更新された図面データ２１が生成されて（Ｓ１２）、またモバイル端末２４に返信される（Ｓ１３）。このようにして、モバイル端末２４は各センサの全てが終了するまで巡回を行う。なお、モバイル端末２４には、施設内端末２２から送られる最新の図面データ２１が反映される。
【０１３２】
なお、モバイル端末２４が最新の情報を画面に表示し（Ｓ１４）、点検を行っている際（Ｓ１５）、あるセンサにおいて、動作しない等の問題が発生した場合には、その問題発生信号を生成して施設内端末２２に送信する（Ｓ１６）。施設内端末２２は、問題発生を検知し（Ｓ１７）、その旨を迅速に監視サーバ１１に送信する（Ｓ１８）。
【０１３３】
監視サーバ１１は、近くにいる担当警備員や他の応援警備員への連絡を行い（Ｓ１９）、施設内端末２２に対しては、問題に対応する適切な対応を遠隔操作等による指示信号を生成して施設内端末２２に送信する（Ｓ２０）。更に、施設内端末２２は、同様の指示信号を必要に応じてモバイル端末２４にも送信する（Ｓ２１）。
【０１３４】
上述の処理により、現時点でどこまでの点検が終了していて、どこでどのような問題が発生しているかをリアルタイムに取得することができ、迅速な対応を行うことができる。
【０１３５】
次に、点検が終了になると（Ｓ２２）、点検が終了したことを示す終了信号を施設内端末２２に送信する（Ｓ２３）。このとき、施設内端末２２は、点検漏れ等があるか否かをチェックし（Ｓ２４）、点検漏れがあれば、点検漏れのセンサの位置情報等を送信する（Ｓ２５）。上述のＳ２２〜Ｓ２５の処理を行うことで、漏れのない警備用機器の点検が可能となる。次に、対象施設１２を退出すると（Ｓ２６）、データ消去信号が施設内端末２２から送られて（Ｓ２７）、モバイル端末２４は図面データ２１の削除を行う（Ｓ２８）。なお、Ｓ２７の処理がなくても、例えばモバイル端末２４が対象施設１２から出た場合や施設内端末２２との通信が所定時間以内にできなかった場合には、その図面データ２１を削除する。
【０１３６】
上述したように、本発明によれば、警備点検における機密情報の漏洩を防止すると共に、警備用機器の点検漏れを防止することができる。具体的には、機密情報を自動的に消去するか、無意味な記号を複数回書き込むことにより、点検帰りにモバイル端末を奪われたり、紛失したりしたとしても、図面データが漏洩することを防止することができる。また、点検に向かう社員はモバイル端末を携帯しているが、当該端末を奪われたり、紛失したりしたとしても、図面データが漏洩することはない。更に、施設内端末とモバイル端末との間、施設内端末と監視サーバとの間、警備用機器と施設内端末との間は、セキュアな回線で接続されているため、警備用機器の位置情報が、外部に漏洩することはない。
【０１３７】
以上本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１３８】
１０  警備点検システム
１１  監視サーバ
１２  対象施設
１３  支社
１４  通信ネットワーク
２１  図面データ
２２  施設内端末
２３  センサ（警備用機器）
２４  モバイル端末
３１，５１，７１  入力手段
３２，５２，７２  出力手段
３３，５３，７３  蓄積手段
３４，５４，７４  暗号化通信手段
３５  鍵生成手段
３６  施設内端末管理手段
３７  モバイル端末管理手段
３８，５６  警備点検状況把握手段
３９，５７  画面生成手段
４０，５８，７８  通知手段
４１，５９，７９  送受信手段
４２，６０，８０  制御手段
５４  暗号化通信手段
５５  モバイル端末監視手段
７５  位置測位手段
７６  画面表示手段
７７  機密情報消去手段
９１  入力装置
９２  出力装置
９３  ドライブ装置
９４  補助記憶装置
９５  メモリ装置
９６  ＣＰＵ
９７  ネットワーク接続装置
９８  記録媒体
１０１  セキュリティランプ（非常灯等）
１０２  ＩＣカードリーダ
１０３  開閉センサ
１０４  空間センサ（赤外線センサ）
１０５  火災センサ
１０６  カーソル
【図１】
2010231658.tif 000003
【図２】
2010231658.tif 000004
【図３】
2010231658.tif 000005
【図４】
2010231658.tif 000006
【図５】
2010231658.tif 000007
【図６】
2010231658.tif 000008
【図７】
2010231658.tif 000009
【図８】
2010231658.tif 000010
【図９】
2010231658.tif 000011
【図１０】
2010231658.tif 000012
【図１１】
2010231658.tif 000013
【図１２】
2010231658.tif 000014
【図１３】
2010231658.tif 000015
【図１４】
2010231658.tif 000016
【図１５】
2010231658.tif 000017